(57)【要約】【課題】      ベルトが伸縮性を有していてもベルトの端を手で掴んで釣具に巻回し易い釣り具用ベルトを提供することである。【解決手段】  釣り具用ベルト１は、発泡ゴム（クロロプレ−ンゴム）で柔軟性を有して伸縮可能なベルト本体２とベルト本体２の後端に幅広のつまみ部２ａが形成されてつまみ部２ａ側の内面２ｂに縫着で固定された止め具３とベルト本体２のつまみ部２ａ側の外面２ｃに固定されたカバ−体４とベルト本体２の外面の前端２ｄからつまみ部２ａに固定された他の止め具５で形成されている。  カバ−体４は皮革や合成樹脂材等を用いてベルト本体２より硬質な材料で形成され、形状は幅広のつまみ部２ａと略相似形に形成され、表面に複数の凸部４ａが形成されて手の指が当たった時に滑り難く形成されている。【選択図】        図１
2007181402.tif 000002
【特許請求の範囲】
【請求項１】
釣り具に巻き付けるベルト本体の後端に幅広のつまみ部が形成されていることを特徴とする釣り具用ベルト。
【請求項２】
ベルト本体は伸縮性を有し、前記ベルト本体の後端はベルト本体より伸縮性が小さいことを特徴とする請求項１記載の釣り具用ベルト。
【請求項３】
ベルト本体より伸縮性の小さいカバ−体を前記ベルト本体の後端に固定したことを特徴とする請求項１及び２記載の釣り具用ベルト。
【発明の詳細な説明】
【技術分野】
【０００１】
本発明は、釣り場に携行する釣竿を束ねて保持したり、釣り用リールのスプ−ルに巻回された釣糸が解けないように保持する時などに使用する釣り具用ベルトに関する。
【背景技術】
【０００２】
従来から特許文献１のように複数本の釣竿を携帯する時には釣竿を束ねるために、発泡ゴム（クロロプレ−ンゴム）のシ−トの外面の全面にル−プ状に繊維を起立させた面ファスナ−雌部を設け、内面の後端側に鈎状の繊維を起立させた面ファスナ−雄部を設けて両面ファスナ−を係合する柔軟なベルトを釣竿に巻回していた。
【特許文献１】特開平１１−３１８２９７
【発明の開示】
【発明が解決しようとする課題】
【０００３】
解決しようとする問題点は、特許文献１のように、釣竿の竿管の外周に沿ってベルトを巻回する時ベルトが伸縮するためベルトが摘みにくい欠点がある。
【０００４】
本発明の目的は上記欠点に鑑み、ベルトが伸縮性を有していてもベルトの端を手で掴んで釣具に巻回し易い釣り具用ベルトを提供することである。
【課題を解決するための手段】
【０００５】
本発明の請求項１は、釣り具に巻き付けるベルト本体の後端に幅広のつまみ部が形成されていることを要旨とするものである。
本発明の請求項２は、ベルト本体は伸縮性を有し、前記ベルト本体の後端はベルト本体より伸縮性が小さいことを要旨とするものである。
本発明の請求項３は、ベルト本体より伸縮性の小さいカバ−体を前記ベルト本体の後端に固定したことを要旨とするものである。
【発明の効果】
【０００６】
本発明により、釣り具の外側に巻回されたベルト本体の後端側の幅広のつまみ部を掴んで釣具に巻回し易いことである。
【発明を実施するための最良の形態】
【０００７】
釣り具用ベルト１は、クロロプレ−ンゴム等の発泡ゴム、ウレタン等の発泡合成樹脂などのゴムや合成樹脂からなる柔軟性を有して伸縮可能なベルト本体２とベルト本体２の後端が左右両側に広がった幅広のつまみ部２ａが形成されて、つまみ部２ａの内面２ｂに縫着で固定された止め具３とベルト本体２のつまみ部２ａ側の外面２ｃに固定されたカバ−体４とベルト本体２の外面の前端２ｄからつまみ部２ａに固定された他の止め具５で形成されている。
ベルト本体２の幅広のつまみ部２ａはベルト本体２の内面２ｂに設けた止め具３とベルト本体２の外面２ｃに設けたカバ−体４をベルト本体２を介して向い合わせてベルト本体２のつまみ部２ａが内面２ｂ側に湾曲形成されている。
カバ−体４は皮革や合成樹脂材等を用いてベルト本体２より硬質な材料で形成されている。
カバ−体４の形状は幅広のつまみ部２ａと略相似形に形成され、表面に複数の凸部４ａが形成されて手の指が当たった時に滑り難く形成されている。
【実施例１】
【０００８】
以下、図示の一実施例によって本発明を説明すると、図１は（ａ）が釣り具用ベルトの平面図で（ｂ）が断面側面図と一部拡大断面側面図、図２は複数の釣り具の釣竿が釣り具用ベルトで束ねられた斜視図、図３は釣り具用ベルトで束ねられた複数の釣り具の釣竿の平面図である。
【０００９】
釣り具用ベルト１は、クロロプレ−ンゴム等の発泡ゴム、ウレタン等の発泡合成樹脂などのゴムや合成樹脂からなる柔軟性と伸縮性を有するベルト本体２とベルト本体２の後端２ｅにその後端２ｅが左右両側に広がった状態の幅広のつまみ部２ａが形成され、その内面２ｂと外面２ｃに互いに係合可能な止め具３と他の止め具５が設けられている。
止め具３は、つまみ部２ａの内面２ｂに縫着で固定されて設けられ、他の止め具５は、ベルト本体２の外面２ｃの前端２ｄからつまみ部２ａに設けられている。
また、ベルト本体２のつまみ部２ａ側の外面２ｃにカバ−体４が固定されている。
ベルト本体２は前端２ｄから後端２ｅに向かって左右側面がテ−パ状に形成されて徐々に幅が狭くなるように形成され、その左右側面がテ−パ状に形成され、最も幅が狭くなった部分の後端２ｅ側につまみ部２ａが形成されている。
ベルト本体２の幅広のつまみ部２ａはこの最も幅が狭くなった部分から後端２ｅが左右の幅方向に膨出するように広がって形成されベルト本体２の内面２ｂに設けた止め具３とベルト本体２の外面２ｃに設けたカバ−体４をベルト本体２を介して向い合わせてベルト本体２のつまみ部２ａが内面２ｂ側に湾曲形成されている。
つまみ部２ａはベルト本体２のすぐ前端２ｄ側より幅が広く形成され、止め具３をこれに応じて大きくすれば止め具５への係合が良好になる。
【００１０】
止め具３は鈎状の繊維を起立させた面ファスナ−雄部である。
他の止め具５は止め具３が係合可能であり、ル−プ状にした繊維を起立させた面ファスナ−雌部である。
カバ−体４は皮革や合成樹脂材等を用いてベルト本体２より硬質な材料で形成されている。
カバ−体４の形状は幅広のつまみ部２ａと略相似形に形成され、表面に複数の凸部４ａが形成されて手の指が当たった時に滑り難く形成されている。
この凸部４ａは１個設けただけでもよく、凸部４ａを文字や図形等を凸状に形成して設けることもできこの場合は外観も良好となる。
カバ−体４の後端部４ｂはベルト本体２に固定された止め具３の後端３ａより後側（つまみ部２ａの後側）になるように配置されていると共に、カバ−体４の前端４ｃも止め具３の前端３ｂより前側（前端２ｄ側）になるように配置されており、止め具３がベルト本体２に固定されたベルト本体２の外面２ｃの縫着部がカバ−体４で覆われ縫着部のほつれを防止し、また外観を良好にしている。
【００１１】
ベルト本体２の幅広のつまみ部２ａは止め具３とカバ−体４を合わせて内面２ｂ側に湾曲形成されているが、湾曲は柔軟性を有するベルト本体２の一状態ではなく、湾曲が強制的に維持されており、つまみ部２ａが、後側になるにつれて内面２ｂ方向に向かうように曲がっており、円弧状に曲がっているほか、折り曲がって直線状に内面２ｂ方向に向かうものも含む。
湾曲させる手段として、以下のようにするとよい。
イ．ベルト本体２の幅広のつまみ部２ａを押圧して硬化すると共に湾曲形成してその湾曲部の内面２ｂに止め具３を設ける。
なお、外面２ｃにカバ−体４を固定してもよいが設けなくてもよい。
ロ．止め具３を湾曲形成し、ベルト本体２のつまみ部２ａに固定する。
ハ．カバ−体４を湾曲形成しベルト本体２のつまみ部２ａに固定する。
ニ．ベルト本体２のつまみ部２ａ内面に止め具３を固定する時、ベルト本体２の湾曲状態を維持しながら止め具３を固定することで、ベルト本体２のつまみ部２ａと止め具３を湾曲形成してもよい。
ホ．ベルト本体２のつまみ部２ａ外面にカバ−体４を固定する時、ベルト本体２を伸長状態を維持しながらまたは湾曲状態を維持しながらカバ−体４を固定することで、湾曲形成してもよい。
【００１２】
図２、図３で釣り具の釣竿７、７′、７″が束ねられる時は、ベルト本体２の前端２ｄを釣り具の釣竿７と釣竿７′の間に挾み込み、次に釣竿７に釣竿７′、７″を重ねてその周りにベルト本体２が巻回されて幅広のつまみ部２ａの内側の止め具３が他の止め具５に係合され、湾曲形成されたベルト本体２の幅広のつまみ部２ａと止め具３とカバ−体４は釣竿７、７′、７″の外側に巻回されたベルト本体２の湾曲に密着される。
尚、釣り具用ベルト１は釣り具に巻回された時、内側になるのがベルト本体２の内面２ｂで、外側になるのがベルト本体２の外面２ｃであり、また、釣り具に巻回を開始する一端が前端２ｄで、釣り具への巻回を終了する他端が後端２ｅである。
【００１３】
前記のように釣り具用ベルト１が構成されると、ベルト本体２の前端２ｄ側から後端２ｅ側に向かって左右側面がテ−パ状に形成されて徐々に幅が狭くなるように形成されているため、巻回したベルト本体２を徐々に引き伸ばしながら強く締め付けて確実に釣竿７、７′、７″に保持されるように巻回できる。
また、このときベルト本体２の幅広のつまみ部２ａによりベルト本体２をしっかり摘んで容易に巻回作業ができ、束ねられた釣り具の釣竿７、７′、７″の脱落が防止される。
しかも、ベルト本体２の幅広のつまみ部２ａが釣り具である釣竿７、７′、７″の外側に巻回されたベルト本体２の外側の湾曲形状と同様の方向に湾曲しているためベルト本体２の外側に沿って添設され、幅広のつまみ部２ａのめくり上がりが防止され、他の物に擦れて止め具３が他の止め具５から離脱することが防止出来ると共に、一方、剥す時にはつまみ部２ａが幅広なので摘み易く止め具３と他の止め具５の係合を解除して釣具からベルト本体２を外しやすい。
また、ベルト本体２より硬質のカバ−体４が固定されているためベルト本体２が伸縮性を有していても確実につまむことができる。
しかもカバ−体４の表面に凸部４ａが形成されているため手の滑りが防止されて摘み易い。
なお、ベルト本体２の前端２ｄから後端２ｅに向かって左右側面がテ−パ状に形成されて徐々に幅が狭くなるように形成された釣り具用ベルトを一例としたが、ベルト本体２の前端２ｄから後端２ｅのベルト本体２の形状は特に限定されず、例えばベルト本体２の前端２ｄから後端２ｅに向けてテーパーのない同一幅に形成し、後端２ｅに幅広のつまみ部２ａを設けてもよい。
【産業上の利用可能性】
【００１４】
本発明は釣り具用ベルト全般に利用できる。
【図面の簡単な説明】
【００１５】
【図１】（ａ）が釣り具用ベルトの平面図で（ｂ）が断面側面図と一部拡大断面側面図である。
【図２】複数の釣り具の釣竿が釣り具用ベルトで束ねられた斜視図である。
【図３】釣り具用ベルトで束ねられた複数の釣り具の釣竿の平面図である。
【符号の説明】
【００１６】
１  釣り具用ベルト
２  ベルト本体
２ａ  つまみ部
３  止め具
４  カバ−体
４ｂ  カバ−体の後端部
５  他の止め具
【図１】
2007181402.tif 000003
【図２】
2007181402.tif 000004
【図３】
2007181402.tif 000005